(57)【要約】【課題】  患者へ点滴するための輸液が入っている容器の重量を容器を取り外した場合の誤報の発生を防ぐことができるようにする。【解決手段】  重量センサー１にて検出した輸液が入った容器の重量が点滴を終了する時期における重量に達したと判定した場合に時間の計測を開始する。計測した時間が所定時間に達するまでに、重量センサー１にて検出した重量がゼロになったと制御装置２にて判定した場合に、容器が重量センサー１から取り外されたものであると判断されて、制御装置２は、報知装置３を動作させる報知信号を報知装置３へ出力しない。また、計測した時間が所定時間に達するまでに、重量センサー１にて検出した重量がゼロにならなかったと制御装置２にて判定した場合に、容器が重量センサー１から取り外されていないと判断されるとともに、点滴を終了する時期になったものであると判断されて、制御装置２は報知装置３へ報知信号を出力する。【選択図】        図１
2012228390.tif 000002
【特許請求の範囲】
【請求項１】
患者へ点滴するための薬剤や輸液が入った容器の重量を検出する重量センサーと、
前記患者への点滴が終了しそうであることを報知する報知装置と、
時間を計測するタイマーと、
前記重量センサーにて検出した重量が点滴を終了する時期における重量に達したと判定した場合に、前記タイマーを動作させ、前記タイマーが計測した時間が所定時間に達しても、前記重量センサーが検出した重量がゼロにならなかったと判定した場合に、前記報知装置を動作させる制御装置と、
を備えることを特徴とする点滴終了報知システム。
【発明の詳細な説明】
【技術分野】
【０００１】
本発明は、病院などで患者に対して実施している点滴の終了を医師や看護師などの医療従事者に知らせる点滴終了報知システムに関する。
【背景技術】
【０００２】
従来、医療従事者が患者に対して点滴を実施する場合、医療従事者は、点滴が終了するまで患者に付きっきりにならず、他の業務を行うために、点滴を実施している患者が居る病室から一時的に離れることがある。その場合、医療従事者は、点滴の速度や過去の経験に基づいて点滴が終了する時期を推測したり、点滴が終了する時点で患者に知らせてもらったりして、自身が推測した時期または患者からの知らせを受けた際に点滴を実施している患者が居る病室へ向かっていた。ここで、点滴の終了を患者に知らせてもらう方法として、ナースコールシステムなどが用いられている。
【０００３】
しかしながら、医療従事者が点滴の終了時期を推測する場合、医療従事者によっては推測した時期が正確ではなくなってしまうという問題があった。また、推測した時期が正確であっても、医療従事者が推測した時期が来たことを気付かないケースが生じてしまうという問題もあった。また、患者が点滴の終了を知らせる場合、患者が点滴中に寝てしまうなどして点滴の終了に気付かないと、患者が点滴の終了を知らせることができなくなってしまうという問題があった。
【０００４】
このような問題を解決するために、薬剤が入っている容器をスタンドに吊り下げた際に容器の重量を検出するセンサーを使用して点滴の終了を自動的に知らせる技術が知られている（例えば、特許文献１など）。特許文献１に記載の点滴の終了報知装置では、点滴開始時の容器の重量から点滴が終了すると判断するための基準重量を予め算出しておき、点滴開始後、センサーが検出した容器の重量が予め算出しておいた基準重量に達した場合に、ナースコール呼出信号をナースコールシステムなどへ出力するようにしている。これにより、点滴の終了報知装置から出力されたナースコール呼出信号を入力したナースコール親機が点滴の終了を報知するので、点滴が終了したことを医療従事者に知らせることができる。
【０００５】
しかしながら、特許文献１に記載の技術では、容器に入っている薬剤が点滴の実施により容器から減った場合だけでなく、点滴を実施している患者の体調が悪化するなどして、医療従事者が患者への点滴を中止して点滴中の薬剤が入っている容器をスタンドから取り外した場合でも、センサーが検出した重量が基準重量に達して、点滴の終了報知装置がナースコール呼出信号を出力するので、誤報が発生してしまうという問題があった。
【先行技術文献】
【特許文献】
【０００６】
【特許文献１】特開２００５−２２４４１８号公報
【発明の概要】
【発明が解決しようとする課題】
【０００７】
本発明は、このような問題を解決するために成されたものであり、患者へ点滴するための薬剤や輸液が入っている容器の重量が所定の重量に達した場合に、医療従事者に点滴の終了を知らせる点滴終了報知システムにおいて、その容器の重量を検出する場所から容器を取り外した場合の誤報の発生を防ぐことができるようにすることを目的とする。
【課題を解決するための手段】
【０００８】
上述した課題を解決するために、本発明の点滴終了報知システムでは、患者へ点滴するための薬剤や輸液が入っている容器を着脱可能とし、容器が取り付けられている状態の重量を検出する重量センサーを備え、その重量が点滴を終了する時期における重量に達した場合に、その時点から所定時間が経過しても、重量センサーが検出している重量がゼロにならなかったときに、報知を行うようにしている。
【発明の効果】
【０００９】
上記のように構成した本発明によれば、重量センサーにて検出した重量が点滴を終了する時期における重量に達した時点から所定時間が経過するまでに、重量センサーが検出した重量がゼロになった場合には、薬剤や輸液が入っている容器が重量センサーから取り外されたものであると判断されるので、報知が行われない。一方、重量センサーにて検出した重量が点滴を終了する時期における重量に達した時点から所定時間が経過するまでに、重量センサーが検出した重量がゼロにならなかった場合には、薬剤や輸液が入っている容器が重量センサーから取り外されていないと判断されるとともに、点滴を終了する時期になったものであると判断されるので、報知が行われる。従って、薬剤や輸液が入った容器を重量センサーから取り外した場合の誤報を防ぐことができる。
【図面の簡単な説明】
【００１０】
【図１】本実施形態による点滴終了報知システムの構成例を示すブロック図である。
【図２】本実施形態による点滴終了報知システムを使用した点滴の状態例を示す図である。
【発明を実施するための形態】
【００１１】
以下、本発明の一実施形態を図面に基づいて説明する。本実施形態による点滴終了報知システムの構成例を示すブロック図を図１に示す。同図に示すように、本実施形態による点滴終了報知システムは、重量センサー１、制御装置２、報知装置３を備えて構成されている。
【００１２】
図１および図２において、重量センサー１は、内部に重量検出装置を備えた筐体１ａ、筐体１ａに接続され、点滴用スタンドに筐体１ａを吊り下げるためのハンガー１ｂ、筐体１ａ内の重量検出装置に接続され、薬剤や輸液（以下、まとめて輸液と記載する）が入った容器を吊り下げるためのフック１ｃ、筐体１ａ内の重量検出装置に接続され、重量検出装置によって検出された容器の重量を示す検出重量情報を制御装置２へ出力するためのコード１ｄを備えて構成されている。ここで、コード１ｄの他端は、病室内の壁面に設けた接続端子などに接続されており、壁内に敷設された伝送線を介して重量センサー１は制御装置２へ接続される。
【００１３】
制御装置２は、パーソナルコンピューターなどにより構成されており、インターフェース部（以下、Ｉ／Ｆ部と記載する）２ａ、記憶部２ｂ、タイマー２ｃ、判定部２ｄを備えて構成されている。制御装置２は、医療従事者が居るスタッフルームなどに設置されている。Ｉ／Ｆ部２ａは、重量センサー１に接続されており、重量センサー１から出力された検出重量情報を入力する。記憶部２ｂは、メモリなどにより構成されており、点滴の終了する時期における容器の重量の値（以下、基準値と記載する）を記憶している。この基準値は、医療従事者などにより設定されるようにしても良いし、全ての輸液に対して共通の値として予め記憶しておくようにしても良い。
【００１４】
タイマー２ｃは、時間を計測するためのものである。判定部２ｄは、Ｉ／Ｆ部２ａが入力した検出重量情報の値と基準値とを比較して、検出重量情報の値が基準値に達した（換言すると、検出重量情報の値が基準値以下となった）か否かを判定する。ここで、判定部２ｄは、検出重量情報の値が基準値に達するまで判定を継続する。
【００１５】
また、判定部２ｄは、検出重量情報の値が基準値に達したと判定した場合に、タイマー２ｃを動作させ、タイマー２ｃが計測した時間が予め設定しておいた所定時間に達した（換言すると、計測した時間が所定時間以上になった）か否かを判定する。ここで、所定時間とは、医療従事者が輸液の入った容器を点滴用スタンドから取り外すまでにかかる時間であり、比較的短い時間（例えば、５〜１０秒程度）となる。ただし、所定時間は、点滴を通常通りに行った場合に、検出重量情報の値が基準値に達してから点滴の容器が空になるまでの時間よりも短くする必要がある。
【００１６】
また、判定部２ｄは、タイマー２ｃが計測した時間が所定時間に達するまでに、検出重量情報の値がゼロになった（換言すると、重量センサー１が輸液の入った容器を検出しなくなった）か否かを判定する。タイマー２ｃが計測した時間が所定時間に達するまでに、検出重量情報の値がゼロにならなかったと判定部２ｄにて判定した場合に、判定部２ｄは報知装置３を動作させる報知信号を生成し、Ｉ／Ｆ部２ａは生成された報知信号を報知装置３へ出力する。このとき、判定部２ｄは、タイマー２ｃの動作を停止させる。
【００１７】
一方、タイマー２ｃが計測した時間が所定時間に達するまでに、検出重量情報の値がゼロになったと判定部２ｄにて判定した場合に、判定部２ｄは、タイマー２ｃの動作を停止させるのみであり、報知信号を生成しない。これは、医療従事者が輸液の入った容器を点滴用スタンドから取り外したことを意味する。
【００１８】
報知装置３は、患者への点滴が終了しそうであることを報知するためのものであり、スピーカーや表示灯、表示装置などにより構成されている。制御装置２から報知信号を入力すると、報知装置３は、スピーカーから報知音を鳴らしたり、表示灯を点灯／点滅させたり、表示装置にメッセージを表示したりして、患者への点滴が終了しそうであることを報知する。ここで、重量センサー１のコード１ｄが接続されている接続端子などにより、点滴が行われている病室や患者、ベッドなどを特定し、それらの情報を音声としてスピーカーから出力したり、表示灯や表示装置によって表示したりするようにしても良い。
【００１９】
次に、図２を用いて点滴の状態例を説明する。図２（ａ）に示すように、重量センサー１の筐体１ａは、ハンガー１ｂによって点滴用スタンドに吊り下げられる。また、重量センサー１のフック１ｃには、輸液の入った容器が吊り下げられる。重量センサー１は、フック１ｃに吊り下げられた容器の重量を検出して、検出重量情報を制御装置２へ出力する。この状態で患者への点滴を開始すると、容器に入っている輸液は、予め設定された速さで容器内から無くなっていく。すなわち、輸液が無くなるにつれて検出重量情報の値が小さくなる。
【００２０】
点滴を開始した時点からある程度の時間が経過して、検出重量情報の値が基準値に達すると、制御装置２の判定部２ｄはタイマー２ｃを動作させる（図２（ｂ）を参照）。この状態で点滴が継続されてタイマー２ｃにて計測した時間が所定時間に達するまでに検出重量情報の値がゼロにならないと判定部２ｄにより判定されると、制御装置２は報知信号を報知装置３へ出力する。
【００２１】
一方、図２（ａ）に示す状態で、何らかの理由により、医療従事者が点滴の容器をフック１ｃから取り外すと、重量センサー１で検出される検出重量情報の値が急激に減少してゼロになる。検出重量情報の値がゼロになる途中で、重量センサー１で検出される検出重量情報の値は基準値に達する（図２（ｃ）を参照）。すると、制御装置２の判定部２ｄはタイマー２ｃを動作させるが、点滴の容器がフック１ｃから取り外されているため、タイマー２ｃにて計測した時間が所定時間に達するまでに検出重量情報の値がゼロになると判定する。そのため、制御装置２は報知信号を報知装置３へ出力しないことになる。
【００２２】
以上、詳しく説明したように、本実施形態の点滴終了報知システムでは、患者へ点滴するための輸液が入った容器の重量を検出する重量センサー１を備え、重量センサー１にて検出した重量が点滴を終了する時期における重量に達したと制御装置２の判定部２ｄにより判定した場合に、判定部２ｄはタイマー２ｃを動作させる。タイマー２ｃにて計測した時間が所定時間に達するまでに、重量センサー１にて検出した検出重量情報の値がゼロにならなかったと判定部２ｄにより判定した場合に、制御装置２は報知装置３へ報知信号を出力するようにしている。また、タイマー２ｃにて計測した時間が所定時間に達するまでに、重量センサー１にて検出した検出重量情報の値がゼロになったと判定部２ｄにより判定した場合に、制御装置２は報知装置３へ報知信号を出力しないようにしている。
【００２３】
これにより、重量センサー１にて検出した重量が点滴を終了する時期における重量に達した時点から所定時間が経過するまでに、重量センサー１が検出した重量がゼロになった場合には、輸液が入っている容器が重量センサー１から取り外されたものであると判断されるので、報知が行われない。一方、重量センサー１にて検出した重量が点滴を終了する時期における重量に達した時点から所定時間が経過するまでに、重量センサー１が検出した重量がゼロにならなかった場合には、輸液が入っている容器が重量センサー１から取り外されていないと判断されるとともに、点滴を終了する時期になったものであると判断されるので、報知が行われる。従って、輸液が入った容器を重量センサー１から取り外した場合の誤報を防ぐことができる。
【００２４】
なお、前述した実施形態では、報知装置３は、スタッフルームなどに設置されているが、これに限定されない。例えば、報知装置３が医療従事者に携行されるようにしても良い。
【００２５】
また、前述した実施形態では、タイマー２ｃは、制御装置２に設けられているが、これに限定されない。例えば、現在日時を計測する時計装置などにタイマー２ｃを設けるようにしても良い。この場合、時計装置は、伝送線を介して制御装置２に接続されている。
【００２６】
その他、点滴終了報知システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００２７】
１    重量センサー
１ａ    筐体
１ｂ    ハンガー
１ｃ    フック
１ｄ    コード
２    制御装置
２ａ    インターフェース（Ｉ／Ｆ）部
２ｂ    記憶部
２ｃ    タイマー
２ｄ    判定部
３    報知装置
【図１】
2012228390.tif 000003
【図２】
2012228390.tif 000004